(57)【要約】【課題】  傘袋を折り畳んで複数枚重ねることで携帯に便利なようにした傘袋セットを提供すること。【解決手段】  上縁側に傘の挿入口が形成された傘袋を複数備えた傘袋セットであって、傘袋を長手方向に伸縮するように蛇腹状の折り畳み、折り畳まれた傘袋における少なくとも最上面部の次の面部と最下面部との間を溶着し、こうして得られた複数の傘袋を積層して、当該傘袋の外形に適合し且つ一面側に傘袋を一枚づつ取り出すための開封部が形成された角型の収納袋内に収納してなる。【選択図】  図３
2006341865.tif 000002
【特許請求の範囲】
【請求項１】
上縁側に傘の挿入口が形成された傘袋を複数備えた傘袋セットであって、
傘袋を長手方向に伸縮するように蛇腹状に折り畳み、折り畳まれた傘袋における少なくとも最上面部の次の面部と最下面部との間を接着し、こうして得られた複数の傘袋を積層して、当該傘袋の外形に適合しかつ一面側に傘袋を１枚づつ取り出すための開封部が形成された角型の収納袋内に収納してなることを特徴とする傘袋セット。
【請求項２】
折り畳まれた最上面部と次の面部とが接着されていることを特徴とする請求項１記載の傘袋セット。
【請求項３】
前記接着は、折り畳まれた傘袋の側縁を溶着することであることを特徴とする請求項１または２記載の傘袋セット。
【請求項４】
折り畳まれた傘袋は、上縁側及び底縁側が舌片状に夫々突出していることを特徴とする請求項１ないし３のいずれか一に記載の傘袋セット。
【請求項５】
折り畳まれた傘袋は、底縁側が舌片状に突出し、各傘袋は、底縁側の突出部分が互いに重なり合うように積層され、収納袋の上から前記突出部分を押さえながら傘袋の上縁部を引き出すことにより傘袋の接着部分が引き剥がされて伸長した状態になることを特徴とする請求項１ないし３のいずれか一に記載の傘袋セット。
【請求項６】
上縁側に傘の挿入口が形成された傘袋を複数備えた傘袋セットであって、
傘袋の底部の封止縁から切り離し部を介して底タブが突出するように形成された傘袋を長手方向に伸縮するようにかつ前記底タブが底縁側から舌片状に突出するように蛇腹状に折り畳み、こうして得られた複数の傘袋を積層して、当該傘袋の外形に適合しかつ一面側に傘袋を１枚づつ取り出すための開封部が形成された角型の収納袋内に収納してなり、傘袋の上縁部を引き出したときに切り離し部から底タブが切り離されて収納袋内に残ることを特徴とする傘袋セット。
【請求項７】
前記切り離し部は、ミシン目であることを特徴とする請求項６記載の傘袋セット。
【請求項８】
各傘袋の底タブ同士が止着されていることを特徴とする請求項６または７記載の傘袋セット。
【請求項９】
各傘袋の底タブは、収納袋に止着されていることを特徴とする請求項６ないし８のいずれか一に記載の傘袋セット。
【請求項１０】
折り畳まれた傘袋における少なくとも最上面部の次の面部と最下面部との間が接着されていることを特徴とする請求項６ないし９のいずれか一に記載の傘袋セット。
【請求項１１】
折り畳まれた最上面部と次の面部とが接着されていることを特徴とする請求項１０記載の傘袋セット。
【請求項１２】
前記接着は、折り畳まれた傘袋の側縁を溶着することであることを特徴とする請求項１０または１１記載の傘袋セット。
【請求項１３】
傘袋の上縁に上タブを形成し、この上タブが、折り畳まれた傘袋の最上面部をなしていることを特徴とする請求項１ないし１２のいずれか一に記載の傘袋セット。
【発明の詳細な説明】
【技術分野】
【０００１】
本発明は、傘袋を折り畳んで複数枚重ねることで携帯に便利なようにした傘袋セットに関する。
【背景技術】
【０００２】
雨が降っている日に濡れた傘をそのまま手で持って電車やバスなどに乗車すると、足元に水滴が垂れ、また周囲の人へ接触して迷惑をかけることから、傘を樹脂製の長尺な袋に収納することが便利である。この傘袋は使い捨てであるため、複数枚所持しておく必要がある。
【０００３】
一方特許文献１には、長尺の袋の開口部に二重袋部分を設け、台紙を前記袋の二重袋部分に形成された台紙挿入口より挿入して開口部の二重袋部分の形態を保持し、長尺の袋の傘収納部を蛇腹状に折り畳んで、この折り畳んだ傘収納部を二重袋部分に格納する傘袋が記載されているが、複数枚の傘袋を所持するときにはどのようにすれば便利性が大きいかという点については記載されていない。
【０００４】
【特許文献１】特開２０００−４９１５（請求項１、段落０００５、図１、図６）
【発明の開示】
【発明が解決しようとする課題】
【０００５】
本発明はこのような事情に鑑みてなされたものであり、その目的は、傘袋を折り畳んで複数枚重ねることで携帯に便利なようにした傘袋セットを提供することにある。
【課題を解決するための手段】
【０００６】
本発明は、上縁側に傘の挿入口が形成された傘袋を複数備えた傘袋セットであって、傘袋を長手方向に伸縮するように蛇腹状に折り畳み、折り畳まれた傘袋における少なくとも最上面部の次の面部と最下面部との間を接着し、こうして得られた複数の傘袋を積層して、当該傘袋の外形に適合しかつ一面側に傘袋を１枚づつ取り出すための開封部が形成された角型の収納袋内に収納してなることを特徴とする。
【０００７】
この傘袋セットにおいて、折り畳まれた最上面部と次の面部とが接着されていてもよい。また前記接着とは、例えば折り畳まれた傘袋の側縁を溶着することである。また上述の傘袋セットにおいて、折り畳まれた傘袋は、上縁側及び底縁側が舌片状に夫々突出している構成をとることができる。さらに上述の傘袋セットにおいて、折り畳まれた傘袋は、底縁側が舌片状に突出し、各傘袋は、底縁側の突出部分が互に重なり合うように積層され、収納袋の上から突出部分を押えながら傘袋の上縁部を引き出すことにより傘袋の接着部分が引き剥がされて伸長した状態になるように構成してもよい。さらに上述の傘袋セットにおいて、傘袋の上縁に上タブを形成し、この上タブが、折り畳まれた傘袋の最上面部をなすように構成してもよい。
【０００８】
また他の発明は、上縁側に傘の挿入口が形成された傘袋を複数備えた傘袋セットであって、傘袋の底部の封止線から切り離し部を介して底タブが突出するように形成された傘袋を長手方向に伸縮するようにかつ前記底タブが底縁側から舌片状に突出するように蛇腹状に折り畳み、こうして得られた複数の傘袋を積層して、当該傘袋の外形に適合しかつ一面側に傘袋を一枚づつ取り出すための開封部が形成された角型の収納袋内に収納されてなり、傘袋の上縁部を引き出したときに切り離し部から底タブが切り離されて収納袋内に残ることを特徴とする。
【０００９】
この傘袋セットにおいて、前記切り離し部とは、例えばミシン目である。また上述の傘袋セットにおいて、各傘袋の底タブ同士が止着された構成であってもよい。なおこの各傘袋の底タブは、収納袋に止着されていてもよい。さらに上述の傘袋セットにおいて、折り畳まれた傘袋における少なくとも最上面部の次の面部と最下面部との間が接着された構成であってもよい。この場合において、折り畳まれた最上面部と次の面部とが接着されていてもよい。また前記接着とは、例えば折り畳まれた傘袋の側縁を溶着することである。さらに上述の傘袋セットにおいて、傘袋の上縁に上タブを形成し、この上タブが、折り畳まれた傘袋の最上面部をなすように構成してもよい。
【発明の効果】
【００１０】
本発明の傘袋セットによれば、複数枚の傘袋が収納袋内に入っているので、この収納袋を携帯していれば傘袋を一枚使用しても手元に傘袋が数枚残っているので従来のように使い捨ての傘袋を一枚づつ携帯しておくよりも便利である。
【００１１】
また折り畳まれた傘袋における少なくとも最上面部の次の面部と最下面部との間を溶着しているので傘袋の形態が安定しており、このため収納袋から傘袋を一枚づつ確実に取り出すことができる。
【００１２】
さらに各傘袋の底縁側の突出部分が互いに重なり合うように積層して、収納袋の上面から前記突出部分を抑えながら傘袋の上縁部を引き出すことにより、収納袋からの傘袋の取り出しと傘袋の伸長とを同時に行うことができるので非常に便利であり、濡れた傘を手に持っているときなどにも速やかに対応することができる。また傘袋の封止線から底タブを突出させ、この底タブが傘袋から切り離されるように構成すれば、各傘袋の底タブ群をつかんだまま上側の傘袋を引き出せるので、上側の傘袋だけを確実に取り出すことができると共に下側の傘袋の形態を乱すおそれが少なく、結局傘袋を一枚づつ容易に確実に取り出すことができる。さらに底タブ同士を溶着などにより一体化することで、底タブ同士が常に揃った状態で積層されるので、より一層傘袋の取り出しが容易になる。また底タブを収納袋に止着例えば溶着することで、上側の傘袋を取り出すときに下側の傘袋の形態の崩れや位置ずれを起こすおそれがないので、一枚づつの傘袋の取り出しがさらに一層確実なものとなる。
【発明を実施するための最良の形態】
【００１３】
本発明の傘袋セットの一例について、図１から図５に基づいて説明する。図１は傘１０を後述する傘袋２０に封入した様子を示す図である。図１に示すようにこの傘袋２０は例えばポリエチレン又はポリプロピレンからなり、上縁部には傘１０を挿入するための挿入口２１が形成されている。また傘袋２０の下方側には傘袋２０の下縁を封止する封止線２２が形成されており、前記封止線２２から底タブとなる舌片２５が突出している。また前記挿入口２１の口線の一縁側から上タブとなる舌片２４が突出している。この傘袋２０は図２（ａ）に示すように長手方向に伸縮するように傘袋２０の下縁に形成された封止線２２を基準にして蛇腹状に折り畳まれ、この例では前記傘袋２０の上縁である舌片２４（上タブ２４）が突出するように、つまり傘袋２０の最上面部２０ａが、折り畳まれた他の面部２０ｂ及び最下面部２０ｃよりも長くなるようにしている。なお、図２（ａ）において折り返しの数及び寸法は発明の理解を容易にするために便宜上のものとしている。
【００１４】
そして図２（ｂ）に示すように傘袋２０の両側縁を例えば熱ローラで溶着させて、傘袋２０の最上面部２０ａと最下面部２０ｃとの間に溶着部２３を形成させている。このように傘袋２０を折り畳んで傘袋２０の両側縁を溶着させたときに図２（ｃ）に示すように傘袋２０の上縁側及び下縁側が舌片状に夫々突出した状態、この例では上タブ２４及び底タブ２５が夫々突出した状態となる。また傘袋２０の溶着部位は傘袋２０の両側縁全体に限られず、両側縁における局部的な部位であってもよいし、両側縁以外であってもよい。また例えば折り畳んだ傘袋２０各面部の四隅部分のみを溶着させてもよい。このようにして折り畳まれた傘袋２０を複数枚例えば５枚用い、図３に示すように傘袋２０の最上面の上に上述と同じ構成にある傘袋が底タブ２５同士が互に同じ方向に向くように積層される。
【００１５】
図４は、複数枚例えば５枚積層した傘袋２０を収納する収納袋３０を説明する斜視図である。前記収納袋３０は例えばポリビニル樹脂からなり、当該傘袋２０の外形に適合した形状、この例では折り畳まれた傘袋２０は四角型の形状にあるため、前記収納袋３０は四角型の形状にある。また収納袋３０の一縁側には、折り畳まれた傘袋２０を一枚づつ取り出すための開封部３１が形成されている。この開封部３１は例えばミシン目であり、使用時にこのミシン目を裂くことにより収納袋３０が開封されるようになっている。なお、ミシン目の他に収納袋３０に切り込みを入れて袋を切り易くしてもよく、収納袋３０が開封できる構成であればよい。
【００１６】
さらに前記収納袋３０の一面側の収納袋３０に収納された傘袋２０の底タブ２５に対応する位置には押え表示部３２が例えば両面に形成されている。この押え表示部３２は、収納袋３０から傘袋２０を取り出すときに収納袋３０の上面から収納袋３０に収納された傘袋２０の底タブ２５を例えば親指で押えるときの目印となるものである。なお、図３及び図４において、５枚積層した傘袋２０の厚さと５枚積層した傘袋２０を収納した収納袋３０の厚さとが整合されていないが、これらは発明の理解を容易にするために便宜上のものとしている。
【００１７】
次に上述した傘袋セットの使用について図５に基づいて説明する。先ず、収納袋３０の一縁に形成されている開封部３１を開封する。続いて一方の手で収納袋３０の押え表示部３２に対応する部位つまり底タブ２５に対応する部位を摘まみながら他方の手で前記開封部３１を介して傘袋２０の上縁部の上タブ２４を引っ張る。この上タブ２４を引っ張ることで傘袋２０の両側縁の溶着部２３が引き剥がされ、折り畳まれた傘袋２０は伸長する。そして押え表示部３２の押圧を解除することで収納袋３０内から伸長した状態の傘袋２０が一枚取り出される。このようにして収納袋３０から傘袋２０が順次取り出される。そして図１に示すように濡れた傘１０が傘袋２０の上縁部の挿入口２１から挿入されることになる。
【００１８】
また上述した傘袋セットにおいて、以下のように使用してもよい。先ず、収納袋３０の開封部３１から折り畳まれた傘袋２０を一枚取り出す。続いて前記傘袋２０の上縁部に形成された上タブ２４を一方の手で持つと共に前記傘袋２０の下縁部に形成された底タブ２５を他方の手で持ち、これら上タブ２４及び底タブ２５を互に反対方向に引っ張る。そうすることで傘袋２０の両側縁の溶着部２３が引き剥がされ、折り畳まれた傘袋２０は伸長した状態となる。
【００１９】
上述した傘袋セットによれば、複数枚の傘袋２０が収納袋３０内に入っているので、この収納袋３０を携帯していれば傘袋２０を一枚使用しても手元に傘袋２０が数枚残っているので便利である。
【００２０】
また折り畳まれた傘袋２０の最上面部２０ａと最下面部２０ｃとの間を溶着しているので傘袋２０の形態が安定しており、このため収納袋３０から傘袋２０を一枚づつ確実に取り出すことができる。また傘袋２０の形態が安定化しているので複数枚の傘袋２０を収納袋３０内に収納するハンドリングが容易であり、傘袋２０の収納工程の自動化に対応できる。さらに折り畳まれた前記傘袋２０の上縁側及び底縁側が夫々舌片状に突出しているので、溶着した傘袋２０の引き剥がしを容易に行うことができる。
【００２１】
さらに傘袋２０の底タブ２５同士が互いに重なり合うように積層して、収納袋３０の上面に形成された押え表示部３２を目印に収納袋３０の両面から底タブ２５を摘まみながら傘袋２０の上縁部を引き出すことにより、収納袋３０から傘袋２０の取り出しと傘袋２０の伸長とを同時に行うことができるので非常に便利であり、濡れた傘を手に持っているときなどにも速やかに対応することができる。
【００２２】
なお、上述の傘袋セットにおいて、傘袋２０の上縁側及び下縁側に形成された上タブ２４及び底タブ２５が互いに反対方向に伸だすように傘袋２０が折り畳まれているが、例えば上タブ２４を突出させずに反対側に（底タブ２５側に）折り返して上タブ２４と底タブ２５とが互い同じ方向に向くように折り畳み、これら上タブ２４及び底タブ２５を互いに反対方向に引っ張るようにして溶着した傘袋２０の引き剥がしを行ってもよい。
【００２３】
また上述の傘袋セットにおいて、傘袋２０の下縁に形成された封止線２２を基準にして蛇腹状にして折り畳んで、傘袋２０の最上面部２０ａを折り畳まれた他の面部２０ｂ及び最下面部２０ｃと同じ長さになるようにしてもよい。この場合、例えば開封部３１を後述の例のように収納袋３０の上面に形成し、収納袋３０から傘袋２０を取り出すときは、傘袋２０の最上面２０ａの一部を指で摘まんで開封部３１を介して上方に向けて引っ張ることになる。このような構成であっても上述と同様の作用効果を得ることができる。以上において本発明では傘袋２０の最上面部２０ａから最下面部２０ｃに亘って両側縁を溶着することに限られず最上面部（上タブ２４が底タブ２５側に折り返されている場合はこの上タブ２４が最上面部となる）の次の面部から最下面部に亘って溶着する構成であっても、傘袋２０の形態が安定しているという効果は得られる。
【００２４】
さらに上述した傘袋セットにおいて、図６（ａ）に示すように前記封止線２２から突出している底タブ２５に、傘袋２０本体から切り離されるように傘袋２０の幅方向に沿って切り離し部であるミシン目４０を形成し、図６（ｂ）に示すように各傘袋２０の底タブ２５同士を例えば熱ローラで溶着させて、各底タブ２５間を接着例えば溶着した構成であってもよい。なお、接着に限らず、例えば傘袋２０を複数枚重ねた底タブ２５部分に貫通孔を形成し、この孔に金具を設け、当該孔に紐などを通して底タブ２５同士を束ねた構成であってもよいし、例えば傘袋２０の複数枚重ねた底タブ２５部分をホチキス止めするなどして止着するようにしてもよい。この場合、図５に示すように収納袋３０の上面に形成された押え表示部３２を押えながら傘袋２０の上縁部の上タブ２４を引っ張ると、傘袋２０の両側縁の溶着部２３が引き剥がされると共に前記ミシン目４０が切り離されて、収納袋３０から伸長した状態の傘袋２０が取り出されることになる。即ち、溶着部２３における溶着の度合いとミシン目４０における引張り強度とを調整しておくことにより、上タブ２４を引っ張ったときに、ミシン目４０の切り離しよりも溶着部２３の引き剥がしが先行するように構成されている。この時、前記底タブ２５は収納袋２０内に残ることになる。
【００２５】
このような構成にすることで、収納袋３０内からの傘袋２０の取り出しと傘袋２０の伸長とが同時に行われ、且つ傘袋２０を一枚づつ確実に取り出すことができる。なお、ミシン目４０の切り離しが先行するように構成してもよい。この場合、ミシン目４０の切り離しによって収納袋３０から傘袋２０が取り出された後、上述したように傘袋２０の溶着部２３の引き剥がしが行われることになる。なお、傘袋２０に切り離し部を形成する例において、底タブ２５同士を溶着させずに分離したままの構成（図１〜図５の構成）としてもよい。
【００２６】
また本発明の傘袋セットの他の例について、図７から図１１に基づいて説明する。以下の説明において、図１から図６を用いて説明した傘袋セットと同じ構成にある部分については便宜上同じ符号を付しておく。この例では、図７（ａ）に示すように傘袋２０の例えば上タブ２４を前記底タブ２５と同じ方向に向かって折り曲げ、図７（ｂ）に示すように傘袋２０の両側縁を例えば熱ローラで線状に溶着させて、溶着部２３を形成し、前記上タブ２４は底タブ２５と同じ方向に向かって折り曲げたときに他の面部２０ｂの長手方向Ｌの長さのおよそ半分の所に位置するようになっている。さらに上タブ２４はこの例では最上面部２０ａをなすものであるが、それより下の傘袋全体に対して溶着せずにいわばフリーな状態になっていてもよい。なお、最上面部２０ａの両側縁が既述のように溶着されていてもよい。また上タブ２４を形成せずに、同様の構成つまり袋状の最上面部２０ａを折り返してこの面部を最上面部２０ａとしてもよいし、最上面部２０ａ全体を上タブとせずに、折り返した状態において最上面部２０ａの底タブ側先端部分が上タブとなるように構成してもよい。上タブ２４を折り返した傘袋２０の状態は図７（ｃ）に示すような状態となる。このようにして折り畳まれた傘袋２０を複数枚例えば５枚用い、図８に示すように傘袋２０の最上面の上に上述と同じ構成にある傘袋が底タブ２５同士が互に同じ方向に向くように積層される。なお、図７（ａ）において折り返しの数及び寸法は発明の理解を容易にするために便宜上のものとしている。
【００２７】
図９は、図８に示す複数枚例えば５枚積層された傘袋２０を収納する収納袋３０を説明する斜視図である。前記収納袋３０は例えばポリビニル樹脂からなり、当該傘袋２０の外形に適合した形状、この例では折り畳まれた傘袋２０は四角型の形状にあるため、前記収納袋３０は四角型の形状にある。また収納袋３０の上面側（傘袋２０の上縁側が位置する側）には、折り畳まれた傘袋２０を一枚づつ取り出すための開封部３１が幅方向の中央位置にて長さ方向に伸びるように形成されている。この開封部３１は例えばミシン目であり、使用時にこのミシン目を両側に引っ張ることで収納袋３０の上面が開封されるようになっている。なお、開封部３１はミシン目の他に上述したように収納袋３０の上面が両側に開放できる構成であればよい。なお、図８及び図９において、５枚積層した傘袋２０の厚さと５枚積層した傘袋２０を収納した収納袋３０の厚さとが整合されていないが、これらは発明の理解を容易にするために便宜上のものとしている。
【００２８】
そしてこの傘袋セットは、図６（ａ）に示すように前記封止線２２から突出している底タブ２５に傘袋２０本体から切り離されるように傘袋２０の幅方向に沿って切り離し部であるミシン目４０が形成されていると共に、図１０に示すように各傘袋２０の底タブ２５同士と収納袋３０とを例えば熱ローラで溶着させ、底タブ２５の最上面部と収納袋３０との間、各底タブ２５間及び底タブ２５の最下面部と収納袋３０との間を夫々接着例えば溶着した構成にある。なお、これらの間を溶着せずにホチキスなどにより止着するようにしてもよい。
【００２９】
この傘袋セットの使用については図１１に示すように収納袋３０の上面側に形成されたミシン目３１に沿って収納袋３０を開封し、開封した部位から傘袋２０の上縁部の上タブ２４を上方に向けて引っ張る他は、図５を用いて説明した傘袋の使用と同様の使用態様にある。
【００３０】
このような構成にしても上述の傘袋セットと同様の効果を得ると共に底タブ２５と収納袋３０とが溶着により一体化されているので、傘袋２０を収納袋３０から引き出すときに、その下側の傘袋２０は収納袋３０内に固定されていて形態が崩れにくいし、位置ずれを生じるおそれもないので収納袋３０内からの傘袋２０の取り出しを一枚づつ確実に且つ容易に行うことができる。
【００３１】
なお、図１から図６を用いて説明した傘袋セットにおいて、図１０に示すように各傘袋２０の底タブ２５同士と収納袋３０とを例えば熱ローラで溶着させ、底タブ２５の最上面部と収納袋３０との間、各底タブ２５間及び底タブ２５の最下面部と収納袋３０との間を夫々接着例えば溶着した構成にしてもよい。
【図面の簡単な説明】
【００３２】
【図１】傘を傘袋に封止した状態を示す説明図である。
【図２】本発明の傘袋セットにおいて傘袋を説明する説明図である。
【図３】上記傘袋を複数枚積層した様子を示す斜視図である。
【図４】上記傘袋を収納する収納袋を示す斜視図である。
【図５】本発明の傘袋セットの使用を説明する説明図である。
【図６】本発明の傘袋セットにおいて傘袋の根元部位を示す説明図である。
【図７】本発明の他の傘袋セットにおいて傘袋を説明する説明図である。
【図８】上記傘袋を複数枚積層した様子を示す斜視図である。
【図９】上記傘袋を収納する収納袋を示す斜視図である。
【図１０】本発明の他の傘袋セットにおいて傘袋の根元部位を示す説明図である。
【図１１】本発明の他の傘袋セットの使用を説明する説明図である。
【符号の説明】
【００３３】
１０  傘
２０  傘袋
２１  挿入口
２２  封止線
２３  溶着部
２４  上タブ
２５  底タブ
３０  収納袋
３１  開封部
３２  押え表示部
４０  ミシン目
【図１】
2006341865.tif 000003
【図２】
2006341865.tif 000004
【図３】
2006341865.tif 000005
【図４】
2006341865.tif 000006
【図５】
2006341865.tif 000007
【図６】
2006341865.tif 000008
【図７】
2006341865.tif 000009
【図８】
2006341865.tif 000010
【図９】
2006341865.tif 000011
【図１０】
2006341865.tif 000012
【図１１】
2006341865.tif 000013